(57)【要約】【課題】本発明は、使用勝手の良好な緩衝材を提供することを目的としている。【解決手段】緩衝材Ｓは、空気の出入りを許容する通路１１を備えた袋体１と、この袋体１の中に位置し、スポンジ状に形成された復元性を有する弾性体２と、通路１１を遮断する遮断部材３とを有している。【選択図】図２
2004315070.tif 000002
【特許請求の範囲】
【請求項１】
少なくとも空気の排出を許容する第１の通路と、少なくとも空気の流入を許容する第２の通路とを備えた袋体と、
この袋体の中に位置し、スポンジ状に形成された復元性を有する弾性体と、
前記第１の通路を遮断する第１の遮断部材と、
前記第２の通路を遮断する第２の遮断部材と、
を有することを特徴とする緩衝材。
【請求項２】
空気の出入りを許容する通路を備えた袋体と、
この袋体の中に位置し、スポンジ状に形成された復元性を有する弾性体と、
前記通路を遮断する遮断部材と、
を有することを特徴とする緩衝材。
【請求項３】
少なくとも空気の排出を許容する第１の通路と、少なくとも空気の流入を許容する第２の通路とを備えた袋体と、
この袋体の中に位置し、スポンジ状に形成された復元性を有する弾性体と、
前記第１の通路を遮断する第１の遮断部材と、
前記第２の通路を遮断する第２の遮断部材とを有する緩衝材であって、
前記緩衝材の不使用時、前記第１の遮断部材を解除して、前記第１の通路を介して前記袋体の空気を排出して前記弾性体を圧縮し、前記第１の遮断部材により前記第１の通路を遮断して前記弾性体の圧縮状態を保持し、前記緩衝材の使用にあっては、前記第２の遮断部材を解除すれば、前記第２の通路を介して前記袋体の中に空気が入り、圧縮した前記弾性体が復元力により自動的に戻って前記緩衝材の機能を有する
ことを特徴とする緩衝材の使用方法。
【請求項４】
空気の出入りを許容する通路を備えた袋体と、
この袋体の中に位置し、スポンジ状に形成された復元性を有する弾性体と、
前記通路を遮断する遮断部材とを有した緩衝材であって、
前記緩衝材の不使用時、前記遮断部材を解除して、前記通路を介して前記袋体の空気を排出して前記弾性体を圧縮し、前記遮断部材により前記通路を遮断して前記弾性体の圧縮状態を保持し、前記緩衝材の使用にあっては、前記遮断部材を解除すれば、前記通路を介して前記袋体の中に空気が入り、圧縮した前記弾性体が復元力により自動的に戻って前記緩衝材の機能を有する
ことを特徴とする緩衝材の使用方法。
【発明の詳細な説明】
【０００１】
本発明は、緩衝材及び緩衝材の使用方法に係り、特に、使用勝手の良好な緩衝材及び緩衝材の使用方法に関する。
【０００２】
【従来の技術】
従来、包装に使用される緩衝材、例えば、支持体（緩衝材）は、被包装物を覆うように形成され、外力等から保護されている（例えば、特許文献１参照）。
◎
【特許文献１】
特開２００３−１１９５９号公報
【発明が解決しようとする課題】
しかしながら、前述した支持体（緩衝材）を反復使用しようとした場合、前述した支持体（緩衝材）は使用の有無に拘らず、一定形状であるため、支持体（緩衝材）の不使用時、場所を大きく取ってしまうという問題点が生じた。
本発明は、上述した問題点を除去するようにした緩衝材及び緩衝材の使用方法を提供するものである。
【０００３】
【課題を解決するための手段】
上記目的を達成するために、請求項１記載の緩衝材は、少なくとも空気の排出を許容する第１の通路と、少なくとも空気の流入を許容する第２の通路とを備えた袋体と、この袋体の中に位置し、スポンジ状に形成された復元性を有する弾性体と、前記第１の通路を遮断する第１の遮断部材と、前記第２の通路を遮断する第２の遮断部材とを有する。
【０００４】
また、請求項２記載の緩衝材は、空気の出入りを許容する通路を備えた袋体と、この袋体の中に位置し、スポンジ状に形成された復元性を有する弾性体と、前記通路を遮断する遮断部材とを有する。
【０００５】
また、請求項３記載の緩衝材の使用方法は、少なくとも空気の排出を許容する第１の通路と、少なくとも空気の流入を許容する第２の通路とを備えた袋体と、この袋体の中に位置し、スポンジ状に形成された復元性を有する弾性体と、前記第１の通路を遮断する第１の遮断部材と、前記第２の通路を遮断する第２の遮断部材とを有する緩衝材であって、前記緩衝材の不使用時、前記第１の遮断部材を解除して、前記第１の通路を介して前記袋体の空気を排出して前記弾性体を圧縮し、前記第１の遮断部材により前記第１の通路を遮断して前記弾性体の圧縮状態を保持し、前記緩衝材の使用にあっては、前記第２の遮断部材を解除すれば、前記第２の通路を介して前記袋体の中に空気が入り、圧縮した前記弾性体が復元力により自動的に戻って前記緩衝材の機能を有する。
【０００６】
また、請求項４記載の緩衝材の使用方法は、空気の出入りを許容する通路を備えた袋体と、この袋体の中に位置し、スポンジ状に形成された復元性を有する弾性体と、前記通路を遮断する遮断部材とを有した緩衝材であって、前記緩衝材の不使用時、前記遮断部材を解除して、前記通路を介して前記袋体の空気を排出して前記弾性体を圧縮し、前記遮断部材により前記通路を遮断して前記弾性体の圧縮状態を保持し、前記緩衝材の使用にあっては、前記遮断部材を解除すれば、前記通路を介して前記袋体の中に空気が入り、圧縮した前記弾性体が復元力により自動的に戻って前記緩衝材の機能を有する。
【０００７】
【実施例】
本発明の一実施例の緩衝材及び緩衝材の使用方法を図面を参照して説明する。
図１乃至図５において、Ｓは緩衝材で、緩衝材Ｓは、空気の出入りを許容する通路１１を備えた袋体１と、この袋体１の中に位置し、スポンジ状に形成された復元性を有する弾性体２と、通路１１を遮断する遮断部材３とを有している。
【０００８】
袋体１は、例えば、柔軟性のある合成樹脂で成形され防水性を有し、また、二枚の矩形形状のシ−トの周縁を、縫製、接着、溶着等により一体化し、内部の空所に弾性体２を収納するようにしている。
また、スポンジ状に形成された復元性を有する弾性体２の材料は、例えば、ウレタンである。
また、通路１１は、例えば、パイプで成形し、該パイプの周縁を、縫製、接着、溶着等により袋体１に一体化し、通路１１の外方に臨む側の外周に雄螺子を設けている。
また、遮断部材３は、例えば、通路１１の外方に臨む側の外周に設けた雄螺子１２に螺合する雌螺子３１を内周に設けた蓋３２で、雄螺子１２に該雌螺子３１を螺合させて通路１１を遮断し、雄螺子１２と雌螺子３１の螺合を解除して、袋体１内への空気の出入りを許容するようにしている。
なお、４は接続部材で、接続部材４は、一端を蓋３２に他端を上述したパイプの外周に遊嵌した遊嵌部にそれぞれ接続され、蓋３２が離脱しないようにしている。
【０００９】
従って、緩衝材Ｓの不使用時、遮断部材３を解除して、つまり、雌螺子３１を雄螺子１２より外して、通路１１を介して袋体１の空気を、例えば、吸引ポンプ（図示せず）を使用して、図２（ａ）に示す状態から図２（ｂ）に示す状態に、排出して弾性体２を圧縮し、遮断部材３により通路１１を遮断して弾性体２の圧縮状態を保持でき、例えば、図３（ｂ）に示すように積層して緩衝材Ｓが嵩張らないようにできる。
また、緩衝材Ｓの使用にあっては、図２（ａ）に示すように、遮断部材３を解除すれば、つまり、雌螺子３１を雄螺子１２より外せば、通路１１を介して袋体１の中に空気が入り、圧縮した弾性体２が復元力により自動的に戻って容易に緩衝材２の機能を有し、しかも、弾性体２は袋体１に内在されているため、外力等から保護され、反復使用に耐えることができる使用勝手の良好な緩衝材Ｓを得ることができる。
【００１０】
なお、緩衝材Ｓの使用は、例えば、図４及び図５に示すように、被包装物５０を包装箱５１に梱包する際、被包装物５０の周囲、つまり、被包装物５０の五面と包装箱５１との間に緩衝材Ｓを介在させて行うようにしている。
また、緩衝材Ｓの使用にあっては、通路１１を介して袋体１の中に空気を入れ、圧縮した弾性体２を復元力により自動的に戻らせた後、雌螺子３１を雄螺子１２より外したままでも良いし、また、雌螺子３１を雄螺子１２に緩く螺合させるようにしても良い。
なお、本実施例においては、被包装物５０の五面と包装箱５１との間に緩衝材Ｓを介在させたが、被包装物５０の天井面部と包装箱５１との間に緩衝材Ｓを介在させて、被包装物５０の六面と包装箱５１との間に緩衝材Ｓを介在させて行うようにしても良い。
【００１１】
上述した実施例においては、空気の出入りを許容する通路１１を１個設けたが、本願発明にあっては、これに限らず、図示しないが（なお、上述と同様な部分に同一符号を付して説明する。）、例えば、通路を２個設け、すなわち、上述した袋体１に少なくとも空気の排出を許容する第１の通路と、少なくとも空気の流入を許容する第２の通路とを備え、上述した第１の通路を遮断する上述した遮断部材３と同様な第１の遮断部材（図示せず）と、上述した第２の通路を遮断する上述した遮断部材３と同様な第２の遮断部材とを有する緩衝材Ｓとしても良い。
この緩衝材Ｓの袋体１の中には、スポンジ状に形成された復元性を有する上述と同様な弾性体２が位置している。
【００１２】
従って、緩衝材Ｓの不使用時、上述した第１の遮断部材を解除して、つまり、第１の通路の外周に設けた雌螺子を第１の遮断部材の内周に設けた雄螺子より外して、第１の通路を介して袋体の空気を、例えば、吸引ポンプ（図示せず）を使用して、排出して弾性体２を圧縮し、第１の遮断部材により第１の通路を遮断して弾性体２の圧縮状態を保持でき、例えば、図３（ｂ）に示すように積層して緩衝材Ｓが嵩張らないようにできる。
また、緩衝材Ｓの使用にあっては、第２の遮断部材を解除すれば、つまり、第２の通路の外周に設けた雌螺子を第２の遮断部材の内周に設けた雄螺子より外せば、第２の通路を介して袋体１の中に空気が入り、圧縮した弾性体２が復元力により自動的に戻って容易に緩衝材Ｓの機能を有し、しかも、弾性体２は袋体１に内在されているため、外力等から保護され、反復使用に耐えることができる使用勝手の良好な緩衝材Ｓを得ることができる。
【００１３】
【発明の効果】
請求項１記載の緩衝材によれば、第１の遮断部材を解除して、通路を介して袋体の空気を排出して弾性体を圧縮し、第１の通路を第１の遮断部材により、第２の通路を第２の遮断部材によりそれぞれ遮断して弾性体の圧縮状態を保持して、緩衝材の不使用時、緩衝材が嵩張らないようにでき、緩衝材の使用にあっては、遮断部材を解除すれば、第２の通路を介して袋体の中に空気が入り、圧縮した弾性体が復元力により自動的に戻って緩衝材の機能を有し、しかも、弾性体は袋体に内在されているため、外力等から保護され、反復使用に耐えることができる使用勝手の良好な緩衝材を得ることができる等の効果を奏する。
【００１４】
また、請求項２記載の緩衝材によれば、遮断部材を解除して、通路を介して袋体の空気を排出して弾性体を圧縮し、前記遮断部材により前記通路内の空気の出入りを前記遮断部材により遮断して前記弾性体の圧縮状態を保持して、緩衝材の不使用時、緩衝材が嵩張らないようにでき、緩衝材の使用にあっては、前記遮断部材を解除すれば、前記通路を介して前記袋体の中に空気が入り、圧縮した弾性体が復元力により自動的に戻って緩衝材の機能を有し、しかも、弾性体は袋体に内在されているため、外力等から保護され、反復使用に耐えることができる使用勝手の良好な緩衝材を得ることができる等の効果を奏する。
【００１５】
また、請求項３記載の緩衝材の使用方法によれば、緩衝材の不使用時、第１の遮断部材を解除して、第１の通路を介して袋体の空気を排出して弾性体を圧縮し、前記第１の遮断部材により前記第１の通路を遮断して前記弾性体の圧縮状態を保持し、緩衝材が嵩張らないようにでき、緩衝材の使用にあっては、第２の遮断部材を解除すれば、第２の通路を介して前記袋体の中に空気が入り、圧縮した前記弾性体が復元力により自動的に戻って容易に前記緩衝材の機能を有し、しかも、弾性体は袋体に内在されているため、外力等から保護され、反復使用に耐えることができる使用勝手の良好な緩衝材を得ることができる等の効果を奏する。
【００１６】
また、請求項４記載の緩衝材の使用方法によれば、緩衝材の不使用時、遮断部材を解除して、通路を介して袋体の空気を排出して弾性体を圧縮し、前記遮断部材により前記通路を遮断して前記弾性体の圧縮状態を保持し、緩衝材が嵩張らないようにでき、緩衝材の使用にあっては、前記遮断部材を解除すれば、前記通路を介して前記袋体の中に空気が入り、圧縮した前記弾性体が復元力により自動的に戻って容易に前記緩衝材の機能を有し、しかも、弾性体は袋体に内在されているため、外力等から保護され、反復使用に耐えることができる使用勝手の良好な緩衝材を得ることができる等の効果を奏する。
【図面の簡単な説明】
【図１】図１は、本発明の一実施例の緩衝材の概略的斜視図である。
【図２】図２（ａ）は弾性体が復元力により元に戻っている状態の概略的断面図であり、図２（ｂ）は袋体内の空気を排出して弾性体が圧縮された状態の概略的断面図である。
【図３】図３（ａ）は、弾性体が復元力により元に戻っている緩衝材を積層した状態の概略的断面図であり、図３（ｂ）は、袋体内の空気を排出して弾性体が圧縮された緩衝材を積層した状態の概略的断面図である。
【図４】図４は、被包装物が包装箱に包装された状態の概略的断面図である。
【図５】図５は、図４の構成を分かりやすくするために分解して示す概略的分解斜視図である。
【符号の説明】
Ｓ  ・・・・・緩衝材
１  ・・・・・袋体
２  ・・・・・弾性体
３  ・・・・・遮断部材
１１  ・・・・・通路
【図１】
2004315070.tif 000003
【図２】
2004315070.tif 000004
【図３】
2004315070.tif 000005
【図４】
2004315070.tif 000006
【図５】
2004315070.tif 000007